(57)【要約】      （修正有）【課題】比較的簡便の方法で印刷されたにもかかわらず立体感を醸しだすことのできる印刷シートを提供する。【解決手段】シート１の表面側となる両面が平滑な透明基材層３と、透明基材層の背面側に表象する文字、図柄等を抜き文字、抜き図柄等として残してそれら文字、図柄等以外の部分に透明インクを印刷して形成した透明インク層４と、透明インク層の背面側のみに着色インクを印刷して形成した着色インク層５と、透明基材層の残された背面部分、透明インク層の側面、着色インク層の側面と背面を覆い、その背面側が平滑になるようにして光反射性金属微粉末入り透明インクを印刷して形成したメタリックインク層６と、メタリックインク層の背面を覆い、表面で光を反射する鏡面インクで形成した鏡面インク層７を備えて構成する。【選択図】図１
0003195596.tif 000002
【実用新案登録請求の範囲】
【請求項１】
立体感を醸し出す印刷シートであって、シートの表面側となる両面が平滑な透明基材層と、
該透明基材層の背面側に、表象する文字、図柄等を抜き文字、抜き図柄等として残してそれら文字、図柄等以外の部分に透明インクを印刷して形成した透明インク層と、
該透明インク層の背面側のみに着色インクを印刷して形成した着色インク層と、
前記透明基材層の残された背面部分、透明インク層の側面、着色インク層の側面と背面を覆い、その背面側が平滑になるようにして光反射性金属微粉末入り透明インクを印刷して形成したメタリックインク層と、
該メタリックインク層の背面を覆い、表面で光を反射する鏡面インクを印刷して形成した鏡面インク層とを備えることを特徴とする印刷シート。
【請求項２】
請求項１に記載の印刷シートにおいて、前記光反射性金属微粉末入り透明インクに代えて、光が透過する程度に薄く着色した光反射性金属微粉末入りインクを使用したことを特徴とする印刷シート。
【考案の詳細な説明】
【技術分野】
【０００１】
本考案は、シートに印刷された文字、図形、模様等の図柄に立体感を醸し出させる印刷シートに関する。
【背景技術】
【０００２】
シートに印刷された文字、図形、模様等の図柄が視認者に立体的に視認されるように工夫した印刷シートが各種提案されている。例えば、特許文献１には、表面側の透明基材層とその背面に部分的に印刷された図象表現層と、その図象表現層の周縁に隣接又は間隔をあけて印刷される厚みがあって細幅の透明縁部層と、図象表現層と透明縁部層を覆って透明基材層の背面に印刷される遮光性下地層を備える立体表現印刷物が提案されている。しかし、この印刷物の場合、図象表現層の周縁に隣接又は間隔をあけて印刷する厚みがあって細幅の透明縁部層の形成には高精度の位置合わせが要求される問題がある。
【０００３】
また、特許文献２には、平滑表面の基材表面に図柄を形成するため基材がもつ溶剤に対する溶解性と比較して大きいか小さい溶解性をもつクリアーを部分的に印刷した部分クリアー層、及び基材と部分クリアー層を覆う光反射性微粉末を混合した透明な全面クリアー層からなり、部分クリアー層が存在する部位と存在しない部位における全面クリアー層中の溶剤の吸い込みに差をもたせて光反射微粉末の分布密度を異ならしめることにより立体感を現出させる印刷シートが開示されている。しかし、この印刷物の場合、立体感を高めるには溶剤の吸い込み差により生ずる光反射微粉末の分布密度の差が大きくなるように基材、部分クリアー層、全面クリアー層の材料を選択しなければならず、材料選択の自由度が狭くなる問題がある。
【先行技術文献】
【特許文献】
【０００４】
【特許文献１】特許３９７０２５０号公報
【特許文献２】特許３２２０８２９号公報
【考案の開示】
【考案が解決しようとする課題】
【０００５】
本考案は、従来技術のこうした問題点を解決するためになされたもので、その課題は、材料インクの選択自由度が高く、それほど高精度の位置合わせの必要もなく、比較的簡便の方法で印刷できて立体感の生ずる印刷シートを提供することにある。
【課題を解決するための手段】
【０００６】
前記課題を解決するための請求項１に記載の考案は、立体感を醸し出す印刷シートであって、シートの表面側となる両面が平滑な透明基材層と、該透明基材層の背面側に、表象する文字、図柄等を抜き文字、抜き図柄等として残してそれら文字、図柄等以外の部分に透明インクを印刷して形成した透明インク層と、該透明インク層の背面側のみに着色インクを印刷して形成した着色インク層と、前記透明基材層の残された背面部分、透明インク層の側面、着色インク層の側面と背面を覆い、その背面側が平滑になるようにして光反射性金属微粉末入り透明インクを印刷して形成したメタリックインク層と、該メタリックインク層の背面を覆い、表面で光を反射する鏡面インクを印刷して形成した鏡面インク層とを備えることを特徴とする印刷シートである。
【０００７】
このような構成によれば、文字、図形等を形成するメタリックインク層内部に、その表面や側面から光が入り込み、内部で光反射性金属微粉末に当たって乱反射されたり、鏡面インク層表面で反射されたりを繰り返す。そうした反射を繰り返した光の一部は文字、図形等を形成しているメタリックインク層の側面や表面から再び外に出てくる。その光の効果、特に、文字部側面から出てくる光の効果により文字、図形等の立体感が強調されて視認される効果を奏する。
【０００８】
また、請求項２に記載の考案は、請求項１に記載の印刷シートにおいて、光反射性金属微粉末入り透明インクに代えて、光が透過する程度に薄く着色した光反射性金属微粉末入りインクを使用したことを特徴とする印刷シートである。
【０００９】
このような構成によれば、着色インク層の色との連係でデザイン性を高めることができる。
【図面の簡単な説明】
【００１０】
【図１】本考案に係る印刷シート１の断面図である。
【図２】印刷シート１の平面図である。
【図３】文字を印刷した印刷シート１の写真である。
【図４】図３の写真の撮影法を説明する図である。
【考案を実施するための形態】
【００１１】
以下、本考案に係る印刷シートの構成例について図面を参照して説明する。図１はその印刷シート１の平面図、図２はその部分縦断端面図である。図２の上側が視認者の視認する表面側、下側が裏面で、本実施形態では裏面に紙２が張り付けてある。印刷シート１は表面側から透明基材層３、透明インク層４、着色インク層５、メタリックインク層６、鏡面インク層７の５層で形成される。製作は、上下を逆にし、表面側透明基材層３の裏面に透明基材層３、透明インク層４、着色インク層５、メタリックインク層６を順に印刷で積み重ねる方法で行なう。
【００１２】
表面側の透明基材層３は透明塩化ビニール、透明アクリル、透明ポリカーボネイト、透明ポリエステル等の素材からなるフィルムで、両面は平滑にされている。透明基材層３は保護膜として機能する。
【００１３】
透明基材層３の裏面には、透明インク層４が形成される。透明インク層４は、視認者に視認してもらう文字、図柄等を除いた部分、図１でいえば「１  ２  ３」の文字部分を除いた残り部分に形成される。表象する文字、図柄等は抜き字、抜き図柄等の形で残される。透明インク層４は、紫外線硬化型メジウムインキや透明性のあるＵＶインクをスクリーン印刷して形成する。厚みは１０〜２０ミクロン程度である。
【００１４】
表象する文字、図柄等を抜き字、抜き図柄等として残して形成された透明インク層４の背面には着色インク層５が形成される。着色インク層５は、透明インク層４の裏面にのみ着色インクをスクリーン印刷して形成する。透明インク層４と着色インク層５は同じパターンであるため、透明基材層３を動かさず、洗浄した同一印刷板を同位置において着色インクを使用して印刷する。着色インクとしては、有機顔料や無機顔料を含むカラーインクを使用する。厚みは１０〜２０ミクロン程度である。
【００１５】
着色インク層５の次には、メタリックインク層６を形成する。メタリックインク層６は、透明基材層３の白抜きで残された背面部分、透明インク層４の側面、着色インク層５の側面と背面を覆うように、光反射性金属微粉末入り透明インクをスクリーン印刷して形成する。その背面側は平滑に形成する。金属微粉末入り透明インクは、透明インクにアルミニウム粉末、金粉末等を拡散させたインクであり、インク中の金属微粉末は無規則に配列しているため入射する光を乱反射させる。
【００１６】
メタリックインク層６の背面側には、鏡面インクをスクリーン印刷して光を反射する鏡面インク層７を形成する。鏡面インク層７は鏡のような効果を発揮する層で、メタリックインク層６を通過してその表面に入射した光はメタリックインク層６側に反射される。鏡面インクは特殊形状のアルミニウム粉末を含むインクである。インクに顔料を加えて着色したものでもよい。鏡面インク層７の背面側には、名刺に使用するのであれば紙２を貼り付ける。
【００１７】
このように構成した５層からなる印刷シート１は、透明インク層４と着色インク層５に白抜きで残された文字、図柄部分を埋める光反射性金属微粉末入り透明インクで形成されたメタリックインク層６部分が着色インク層５からかなり浮き上がった状態で視認される。図３の（１）は、図４に示すように印刷シート１の表面に斜め前方から蛍光灯１０の光を当てた状態で印刷シート１のほぼ真上のカメラ１１で撮影した写真である。図３の（２）は、斜め手前からカメラ１２で撮影した写真である。実際には文字部分を取り巻く着色インク層５はピンク色で、文字部分は薄い金色に輝いている。図３はグレースケール写真であるため明度差のみが現れている。
【００１８】
図３に示すように文字部分がかなり浮き上がって立体的に視認される。印刷シート１の物理的構造から、メタリックインク層６の文字表面部分は着色インク層５の表面より透明インク層４の厚み分だけ上に位置しているため立体的に見えるのは当然といえば当然である。しかし、本発明の印刷シート１では、その浮き上がり方が強調されて視認される点に特徴がある。発明者らはメタリックインク層６を光反射性金属微粉末入り透明インクではなく、普通の着色インクで形成した印刷カードと比較してみたが、光反射性金属微粉末入り透明インクを使用した本発明の印刷シート１の方が浮き上がり方が強調されて視認された。
【００１９】
また、発明者らは鏡面インク層７の代わりに、鏡面性のないインク層を形成した印刷シートとも比較してみた。この場合も鏡面インク層７を形成した本発明の印刷シート１の方が浮き上がり方が強調されて視認された。こうしたことから、本発明の印刷シート１で文字部分の浮き上がりが強調され、立体性が強調されて視認される原因は、文字部分を光反射性金属微粉末入り透明インクを使用したメタリックインク層６で形成していること、その背面全体に光を反射する鏡面インク層７を形成していること、加えて、着色インク層５の上面のみに透明インク層４を形成し、文字を形成しているメタリックインク層６の側面を透明物質で覆っていることにあるように思われる。
【００２０】
色相が同じ通常の不透明物体、例えば、黒一色、白一色の立方体が立体に見えるのは、一平面（例えば、上面）と、それに直角な側面に明度の差が現れるからである。周囲から入射する光の反射具合が面の角度により異なり、視認者の目に入る光の量に違いが生ずるためである。即ち、不透明物体の表面における光の反射の違いから視認者はその物体の立体感を認識する。
【００２１】
これに対して本発明の印刷シート１では、視認者は文字を構成しているメタリックインク層６の表面と、透明インク層４に接しているその側面における光の反射の違いのみから立体感を感ずるのではないと思われる。勿論、側面境界における光の反射の違いも理由の一つと考えられるが、本発明の印刷シート１の場合はそれだけではない。透明インク層４を通過した光は文字を構成している光反射性金属微粉末透明インクからなるメタリックインク層６の内部に文字側面を通過してかなりの量が入り込む。また、文字表面に入射した光は表面で多くが反射されるが残りはメタリックインク層６の内部に入り込む。それら内部に入り込んだ光は、層内の光反射性金属微粉末に当たって様々な方向に乱反射を繰り返す。更に、最下層の鏡面インク層７に向かった光は反射されて再びメタリックインク層６に戻って乱反射する。そうした乱反射を繰り返した光の一部は、今度は文字を構成しているメタリックインク層６の側面や表面から外に出てくると思われる。
【００２２】
このメタリックインク層６内部に表面や側面から入り込み、内部で乱反射を繰り返して再び側面や表面から外に出てくる光、特に、文字部側面から出てくる光の存在が、立体感が強調されて視認される大きな理由と思われる。そうでないとメタリックインク層６を普通の不透明インクに置き換えた場合や、鏡面インク層７を形成しなかった場合との立体感の違いを説明することは困難である。メタリックインク層６の内部に、弱い光を放つ擬似発光体が存在するかのごとき見え方をするのである。それにより立体感が強調される。実際、図３の（１）、（２）の写真でみるように、文字側面がかなり明るく光って明確に見え点に特徴があり、これが立体感が強調されて見える理由と思われる。
【００２３】
なお、上記実施形態ではメタリックインク層６に透明インクに光反射性金属微粉末を混ぜたものを使用したが、透明インクに代えて薄く着色した透明性の高いインクを使用してもよい。そうすることで着色インク層５の色と連係してデザイン性を高めることもできる。
【符号の説明】
【００２４】
図面中、１は印刷シート、２は紙、３は透明基材層、４は透明インク層、５は着色インク層、６はメタリックインク層、７は鏡面インク層を示す。
【図１】
0003195596.tif 000003
【図２】
0003195596.tif 000004
【図３】
0003195596.tif 000005
【図４】
0003195596.tif 000006